(57)【要約】      （修正有）【課題】使い勝手のよいメッセージの伝達のための技術を提供する。【解決手段】ネットワークシステム１は、通信端末５００と、通信端末５００に、メッセージの入力画面が表示される際に、所定の時間帯を表示させるためのサーバ１００とを備える。【選択図】図１
2020009294.tif 000002
【特許請求の範囲】
【請求項１】
通信端末と、
前記通信端末に、メッセージの入力画面が表示される際に、所定の時間帯を表示させるためのサーバとを備える、ネットワークシステム。
【請求項２】
電気機器をさらに備え、
前記サーバは、前記電気機器に対する操作履歴に基づいて前記所定の時間帯を決定する、請求項１に記載のネットワークシステム。
【請求項３】
前記電気機器は冷蔵庫であって、
前記サーバは、前記冷蔵庫の扉の開閉履歴に基づいて、開閉される可能性が高い時間帯を前記所定の時間帯として決定する、請求項２に記載のネットワークシステム。
【請求項４】
前記サーバは、前記通信端末から、前記メッセージの出力期間の指定を受け付ける、請求項１から３のいずれか１項に記載のネットワークシステム。
【請求項５】
通信端末と通信するための通信インターフェイスと、
前記通信インターフェイスを介して、前記通信端末に、メッセージの入力画面が表示される際に、所定の時間帯を表示させるためのプロセッサとを備える、サーバ。
【請求項６】
サーバにおける情報処理方法であって、
所定の時間帯を決定するステップと、
通信端末に、メッセージの入力画面が表示される際に、所定の時間帯を表示させるステップと、を備える情報処理方法。
【発明の詳細な説明】
【技術分野】
【０００１】
本発明は、メッセージを伝達するための技術に関する。
【背景技術】
【０００２】
従来から、端末にメッセージを入力して当該メッセージを別の端末で出力するための技術が知られている。たとえば、国際公開第２０１６／０５２１０７号パンフレット（特許文献１）には、ネットワークシステム、サーバ、機器、および通信端末が開示されている。特許文献１によると、機器と、機器と通信可能なサーバとを備えるネットワークシステムが提供される。サーバは、入力キーワードと出力メッセージとの対応関係を参照可能であって、入力されたメッセージを機器に音声出力させた後に、当該入力されたメッセージの中に含まれる入力キーワードに対応する出力メッセージを機器に音声出力させる。
【先行技術文献】
【特許文献】
【０００３】
【特許文献１】国際公開第２０１６／０５２１０７号パンフレット
【発明の概要】
【発明が解決しようとする課題】
【０００４】
本発明の目的は、使い勝手のよいメッセージの伝達のための技術を提供することにある。
【課題を解決するための手段】
【０００５】
本発明のある態様に従うと、通信端末と、通信端末に、メッセージの入力画面が表示される際に、所定の時間帯を表示させるためのサーバとを備える、ネットワークシステムが提供される。
【発明の効果】
【０００６】
以上のように、本発明によれば、使い勝手のよいメッセージの伝達のための技術が提供される。
【図面の簡単な説明】
【０００７】
【図１】第１の実施の形態にかかるネットワークシステム１の全体構成を示すイメージ図である。
【図２】第１の実施の形態にかかるメッセージの入力端末５００の画面の推移を示すイメージ図である。
【図３】第１の実施の形態にかかるメッセージの出力端末３００の画面の推移を示すイメージ図である。
【図４】第１の実施の形態にかかるサーバ１００の構成を表わすブロック図である。
【図５】第１の実施の形態にかかるユーザ情報データ１２１を示すイメージ図である。
【図６】第１の実施の形態にかかる機器情報データ１２２を示すイメージ図である。
【図７】第１の実施の形態にかかる履歴情報データ１２３を示すイメージ図である。
【図８】第１の実施の形態にかかるメッセージ情報データ１２４を示すイメージ図である。
【図９】第１の実施の形態にかかるサーバ１００の情報処理を示すフローチャートである。
【図１０】第１の実施の形態にかかる出力端末３００の構成を表わすブロック図である。
【図１１】第１の実施の形態にかかる入力端末５００の構成を表わすブロック図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜ネットワークシステムの全体構成＞
【０００９】
図１を参照して、本実施の形態にかかるネットワークシステム１の全体構成について説明する。ネットワークシステム１は、主たる装置として、メッセージ伝達サービスを提供するためのサーバ１００と、ルータ２００やインターネットやキャリア網などを介してサーバ１００とデータをやり取りする冷蔵庫などのメッセージの出力端末３００と、ルータ２００やインターネットやキャリア網などを介してサーバ１００とデータをやり取りするスマートフォンなどのメッセージの入力端末５００とを含む。
【００１０】
なお、出力端末３００は、冷蔵庫に限らず、オーブンレンジや自動調理鍋などの調理器具であってもよいし、エアコンや洗濯機やテレビなどの家電であってもよいし、パーソナルコンピュータやスピーカやロボットなどであってもよい。また、入力端末５００も、スマートフォンに限らず、タブレットやロボットやパーソナルコンピュータなどの他の装置であってもよいし、家電などであってもよい。
＜ネットワークシステムの動作概要＞
【００１１】
次に、本実施の形態にかかるネットワークシステム１の動作概要について説明する。本実施の形態においては、冷蔵庫などの出力端末３００は、操作履歴や測定履歴などをサーバ１００にアップロードする。サーバ１００は、それらの履歴データに基づいて、出力端末３００をユーザが操作する可能性が高いタイミングを特定する。たとえば、冷蔵庫の場合は、サーバ１００は、扉が開閉される履歴に基づいて扉が開閉される可能性が高い時間帯を特定する。
【００１２】
そして、サーバ１００は、入力端末５００において出力端末３００宛のメッセージの入力を受け付ける際に、出力端末３００が操作される可能性が高い時間帯を入力端末５００に送信する。より詳細には、図２に示すように、（１）入力端末５００は、出力端末３００の指定を受け付ける。たとえば、出力端末３００を示すボタン５３０Ｃが押される。（２）入力端末５００は、出力端末３００に蓄積されているメッセージを選択可能に表示しつつ、出力端末３００が操作される可能性が高い時間帯の情報５３０Ａを出力する。ユーザがメッセージの新規メッセージ作成アイコン５３０Ｂを押すと、（３）入力端末５００はメッセージの入力画面を表示する。本実施の形態においては、メッセージの入力画面においても、出力端末３００が操作される可能性が高い時間帯の情報５３０Ａが出力される。なお、メッセージが入力されて、送信ボタンが押されると、入力端末５００には、送信済みのメッセージが選択可能に表示される。
【００１３】
入力されたメッセージはサーバ１００に送信され、サーバ１００は当該メッセージを宛先である出力端末３００に送信する。なお、本実施の形態においては、図３に示すように、出力端末３００は、サーバ１００からメッセージを受信すると、（１）メッセージを蓄積していることを示すライト３３１を点灯する。（２）ユーザが、扉を開閉したり、発話ボタンの役割を担うライト３３１を押したりすると、（３）出力端末３００は蓄積しているメッセージを選択可能に表示する。なお、ライト３３１と発話ボタンとは、上記のように一体化されてもよいし、ディスプレイ３３０の一部がライトの役割を担ったり、ディスプレイ３３０がタッチパネルであって当該タッチパネルが発話ボタンの役割を担ったりしてもよい。ユーザが出力して欲しいメッセージを選択すると、（４）出力端末３００はディスプレイ３３０に当該メッセージを表示する。
【００１４】
このように、本実施の形態においては、メッセージの入力の前または入力中に、出力端末３００が操作される可能性が高いタイミングが出力される。その結果、メッセージを入力するユーザは、入力するメッセージが宛先の者に聞かれるタイミングを認識することができ、当該タイミングを考慮したメッセージの入力が可能になる。
【００１５】
以下では、このような機能を実現するためのネットワークシステム１について詳細に説明する。
＜サーバ１００の構成＞
【００１６】
図４を参照して、ネットワークシステム１を構成するサーバ１００の構成の一態様について説明する。本実施の形態にかかるサーバ１００は、主たる構成要素として、ＣＰＵ（Central Processing Unit）１１０と、メモリ１２０と、操作部１４０と、通信インターフェイス１６０とを含む。
【００１７】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００１８】
メモリ１２０は、各種のＲＡＭ（Random  Access  Memory）、各種のＲＯＭ（Read-Only  Memory）などによって実現され、サーバ１００に内包されているものであってもよいし、サーバ１００の各種インターフェイスに着脱可能なものであってもよいし、サーバ１００からアクセス可能な他の装置の記録媒体であってもよい。メモリ１２０は、ＣＰＵ１１０によって実行されるプログラムや、ＣＰＵ１１０によるプログラムの実行により生成されたデータ、ユーザ情報データ１２１、機器情報データ１２２、履歴情報データ１２３、メッセージ情報データ１２４、その他の本実施の形態にかかるメッセージ伝達サービスに利用されるデータベースなどを記憶する。
【００１９】
ここで、図５を参照して、本実施の形態にかかるユーザ情報データ１２１は、メッセージ伝達サービスに登録しているユーザ毎に、ユーザの識別情報や、ユーザの名前や、ユーザの年齢や、ユーザの性別などの対応関係を格納する。
【００２０】
図６を参照して、本実施の形態にかかる機器情報データ１２２は、メッセージ伝達サービスに登録されている電気機器毎に、電気機器の識別情報と、電気機器を保有するユーザの識別情報と、電気機器の機種名や型番などの対応関係を格納する。
【００２１】
図７を参照して、履歴情報データ１２３は、出力端末３００毎に、過去の操作履歴と、当該過去の操作履歴に基づいて予測される操作タイミングの予測タイミングと、の対応関係を格納する。本実施の形態においては、ＣＰＵ１１０は、過去何日かの操作履歴に基づいて、操作されやすい時間帯を決定する。なお、予測タイミングは、２４時間以内に複数個登録されてもよい。また、操作履歴が、曜日毎や、季節毎や、天気毎に、対応付けて蓄積されて、ＣＰＵ１１０は、曜日毎や、季節毎や、天気毎に、予測タイミングを登録してもよい。
【００２２】
図８を参照して、メッセージ情報データ１２４は、入力端末５００に入力されるメッセージ毎に、入力端末５００の識別情報と、メッセージの宛先としての出力端末３００の識別情報と、メッセージを入力したユーザの名称と、メッセージの宛先のユーザの名称と、出力端末３００においてメッセージを出力すべき時間帯との対応関係を格納する。
【００２３】
図４に戻って、操作部１４０は、サービスの管理者などからの操作を受け付けて、各種の命令をＣＰＵ１１０に入力する。
【００２４】
通信インターフェイス１６０は、テキストデータや画像データや音声データや制御命令などの各種データを、インターネット、キャリア網、ルータ２００などを介して出力端末３００や入力端末５００などの他の装置に送信する。逆に、通信インターフェイス１６０は、インターネット、キャリア網、ルータ２００などを介して他の装置からのデータを受信して、ＣＰＵ１１０に受け渡す。
＜情報処理方法＞
【００２５】
次に、本実施の形態にかかるサーバ１００における情報処理について説明する。本実施の形態においては、サーバ１００のＣＰＵ１１０は、通信インターフェイス１６０を介して、入力端末５００からメッセージの伝達サービスの開始の要求を受け付けると、図９に示す処理を実行する。本実施の形態においては、入力端末５００は、メッセージの伝達サービスを起動した際に、サーバ１００にアクセスしてくる。
【００２６】
まず、ＣＰＵ１１０は、入力端末５００から受信したデータから識別情報を取得して、機器情報データ１２２を参照して、入力端末５００のユーザを特定する（ステップＳ１０２）。
【００２７】
ＣＰＵ１１０は、機器情報データ１２２を参照してユーザに紐づけられている機器を抽出して、通信インターフェイス１６０を介して入力端末５００に機器情報を送信する（ステップＳ１０４）。これによって、入力端末５００では、図２の（１）のように、出力端末３００を選択するための画面が表示される。なお、図２の（１）には、冷蔵庫だけが選択可能に表示されているが、他のメッセージ出力機器も選択可能に表示されることが好ましい。
【００２８】
入力端末５００において出力端末３００が選択されると、サーバ１００のＣＰＵ１１０は、出力端末３００の選択命令を受け付けて、履歴情報データ１２３を参照して、出力端末３００が次に操作される可能性が高い時間帯を読み出す（ステップＳ１０８）。なお、ＣＰＵ１１０は、曜日や、季節や、天気などを考慮して、予測タイミングを決定してもよい。また、本実施の形態においては、ＣＰＵ１１０は、メッセージ情報データ１２４を参照して、出力端末３００が宛先となっているメッセージを読み出してもよい。
【００２９】
ＣＰＵ１１０は、通信インターフェイス１６０を介して、出力端末３００が次に操作される可能性が高い時間帯を示す情報や、出力端末３００が宛先となっている他のメッセージを、入力端末５００に送信する（ステップＳ１１０）。これによって、入力端末５００では、図２の（２）のように、出力端末３００宛のメッセージの開封状態や、出力端末３００が次に操作される可能性が高い時間帯を示す情報５３０Ａが表示される。
【００３０】
図２の（３）のように、入力端末５００の新規メッセージ作成アイコン５３０Ｂが押されて、メッセージや宛先や出力して欲しい時間帯などの入力が完了すると、入力端末５００は出力端末３００宛のメッセージのデータを送信する。サーバ１００のＣＰＵ１１０は、通信インターフェイス１６０を介して入力端末５００からメッセージを受け付けると、当該メッセージを入力端末５００や出力端末３００や出力して欲しい時間帯などと対応付けてメッセージ情報データ１２４に格納する（ステップＳ１１２）。
【００３１】
ＣＰＵ１１０は、通信インターフェイス１６０を介して当該メッセージを出力端末３００に送信する（ステップＳ１１４）。これによって、出力端末３００では、図３に示すように、メッセージが蓄積されている旨を知らせるためのライトを点灯したり、所定の操作があった際にメッセージを出力したりする。なお、入力端末５００にて指定された時間帯においてのみ、出力端末３００がライトを点灯したり、所定の操作に応じてメッセージを出力したりすることが好ましい。
＜出力端末３００の構成＞
【００３２】
次に、図１０を参照して、ネットワークシステム１を構成する冷蔵庫などの出力端末３００の構成の一態様について説明する。出力端末３００は、主たる構成要素として、ＣＰＵ３１０と、メモリ３２０と、ディスプレイ３３０と、操作部３４０と、通信インターフェイス３６０と、スピーカ３７０と、マイク３８０と、機器駆動部３９０とを含む。
【００３３】
ＣＰＵ３１０は、メモリ３２０あるいは外部の記憶媒体に記憶されているプログラムを実行することによって、出力端末３００の各部を制御する。
【００３４】
メモリ３２０は、各種のＲＡＭや、各種のＲＯＭなどによって実現され、出力端末３００に内包されているものであってもよいし、出力端末３００の各種インターフェイスに着脱可能なものであってもよいし、出力端末３００からアクセス可能な他の装置の記録媒体であってもよい。メモリ３２０は、ＣＰＵ３１０によって実行される機器駆動プログラムや対話プログラムやその他のプログラムや、ＣＰＵ３１０によるプログラムの実行により生成されたデータ、サーバ１００や他のサーバから受信したメッセージデータや音声データや画像データやその他のデータ、操作部３４０を介して入力された操作命令などのデータなどを記憶する。
【００３５】
ディスプレイ３３０は、ＣＰＵ３１０からの信号に基づいて、図３に示すように、文字や画像やメッセージが蓄積されていることを示す光などを出力する。操作部３４０は、ボタン、タッチパネルなどによって実現され、ユーザからの運転操作命令や発話命令などの各種命令を受け付けて、当該命令をＣＰＵ３１０に入力する。なお、ディスプレイ３３０と操作部３４０とは、タッチパネル３５０を構成してもよい。
【００３６】
通信インターフェイス３６０は、無線ＬＡＮ通信あるいは有線ＬＡＮなどの通信モジュールによって実現され、有線通信あるいは無線通信によってサーバ１００などの他の装置との間でデータをやり取りする。たとえば、ＣＰＵ３１０は、サーバ１００からの音声データなどを受け付けてメモリ３２０に格納したりする。
【００３７】
スピーカ３７０は、ＣＰＵ３１０からの信号に基づいて、音声を出力する。たとえば、ＣＰＵ３１０は、メモリ３２０に予め登録された音声データやサーバ１００から受信した音声データをスピーカ３７０から出力する。
【００３８】
マイク３８０は、ユーザから音声を受け付けて、音声信号をＣＰＵ２１０に受け渡す。
【００３９】
機器駆動部３９０は、温度センサや湿度センサや人感センサや扉開閉センサなどの各種センサや、モータや圧縮機やアンテナやヒータなど、出力端末３００の主要な機能を実現する。
＜入力端末５００の構成＞
【００４０】
次に、図１１を参照して、ネットワークシステム１を構成する入力端末５００の構成の一態様について説明する。入力端末５００は、主たる構成要素として、ＣＰＵ５１０と、メモリ５２０と、ディスプレイ５３０と、操作部５４０と、通信インターフェイス５６０と、スピーカ５７０と、マイク５８０などを含む。
【００４１】
ＣＰＵ５１０は、メモリ５２０あるいは外部の記憶媒体に記憶されているプログラムを実行することによって、入力端末５００の各部を制御する。
【００４２】
メモリ５２０は、各種のＲＡＭや、各種のＲＯＭなどによって実現される。メモリ５２０は、ＣＰＵ５１０によって実行されるプログラムや、ＣＰＵ５１０によるプログラムの実行により生成されたデータ、サーバ１００から受信したテキストデータや画像データや音声データや調理レシピのデータや、操作部５４０を介して入力されたデータなどを記憶する。
【００４３】
ディスプレイ５３０は、ＣＰＵ５１０からの信号に基づいて、図２に示すように、文字や画像などを出力する。操作部５４０は、ユーザからの命令を受け付けて、当該命令をＣＰＵ５１０に入力する。たとえば、操作部５４０は、メッセージを出力すべき出力端末３００の選択命令や、メッセージの宛先のユーザの名前や、メッセージ本文の入力や、メッセージを出力して欲しい時間帯などを受け付ける。なお、ディスプレイ５３０と操作部５４０とは、タッチパネル５５０を構成してもよい。
【００４４】
通信インターフェイス５６０は、無線ＬＡＮ通信あるいは有線ＬＡＮなどの通信モジュールによって実現される。通信インターフェイス５６０は、有線通信あるいは無線通信によってサーバ１００などの他の装置との間でデータを送受信する。
【００４５】
たとえば、ＣＰＵ５１０は、ユーザからメッセージの伝言に関する処理の開始命令を受け付けた際に、通信インターフェイス５６０を介してサーバ１００にアクセスする。そして、ＣＰＵ５１０は、通信インターフェイス５６０を介してサーバ１００から、出力端末３００の機器情報を取得したり、出力端末３００が所定の操作を受け付ける予測タイミングを取得したりする。これによって、本実施の形態においては、ＣＰＵ５１０は、図２（２）や（３）に示すように、メッセージの入力画面の表示中や、メッセージの入力を開始する前に、出力端末３００が所定の操作を受け付ける可能性がタイミングをディスプレイ３３０に表示させることができる。そして、ＣＰＵ５１０は、通信インターフェイス５６０を介して、メッセージを出力すべき出力端末３００の選択命令や、メッセージの宛先のユーザの名前や、メッセージ本文の入力や、メッセージを出力して欲しい時間帯などをサーバ１００に送信する。
【００４６】
スピーカ５７０は、ＣＰＵ５１０からの信号に基づいて、音声を出力する。マイク５８０は、外部からの音声に基づいて音声信号を作成し、ＣＰＵ５１０に入力する。
＜第２の実施の形態＞
【００４７】
上記の実施の形態に加えて、本実施の形態においては、入力端末５００にメッセージが入力されるタイミングと、次に所定の操作が行われると予測されるタイミングとの関係によって、入力端末５００で出力される文言が異なってもよい。たとえば、サーバ１００のＣＰＵ１１０は、ステップＳ１０８において、所定のルールに従って、メッセージを受け付けたタイミングと、所定の操作の次の予測タイミングと、に基づいて、ユーザに提供するべきアドバイスを決定する。そして、ＣＰＵ１１０は、通信インターフェイス１６０を介して、出力端末３００が次に操作される可能性が高い時間帯を示す情報や、出力端末３００が宛先となっている他のメッセージに加えて、今回のタイミングに相応しいメッセージの伝達に関するアドバイスなどを、入力端末５００に送信する（ステップＳ１１０）。
＜第３の実施の形態＞
【００４８】
上記の実施の形態においては、メッセージの宛先の出力端末３００が選択されてから、メッセージの入力の前または入力中に、当該出力端末３００の所定の操作が行われるタイミングを提示するものであった。しかしながら、メッセージの宛先の出力端末３００が選択される前に、当該情報を提示してもよい。
【００４９】
より詳細には、ステップＳ１０４において、サーバ１００のＣＰＵ１１０は、機器情報データ１２２を参照してユーザに紐づけられている少なくとも１つの機器を抽出する。そして、ＣＰＵ１１０は、履歴情報データ１２３を参照して当該少なくとも１つの機器に関する所定の操作が行われるタイミングを読み出す。ＣＰＵ１１０は、通信インターフェイス１６０を介して入力端末５００に少なくとも１つの機器情報と上記のタイミングとの組み合わせを送信する。これによって、入力端末５００は、出力端末３００を選択する画面において、少なくとも１つの出力端末３００に対応付けて当該機器に関する所定の操作が行われるタイミングを提示することができる。その結果、ユーザは、メッセージが宛先に届く時間帯を考慮して出力端末３００を選択することができる。
＜第４の実施の形態＞
【００５０】
上記の実施の形態においては、出力端末３００として冷蔵庫を例に挙げて説明を行った。また、所定の操作として、冷蔵庫の扉の開閉を例に挙げて説明を行った。
【００５１】
しかしながら、所定の操作は、扉の開閉に限らず、発話ボタンが押されるなど、他の所定の操作であってもよい。また、所定の操作は、人感センサによって人を検知することであってもよいし、温度センサや画像センサなどの測定データが所定の条件を満たすことであってもよい。
【００５２】
なお、上述したように、出力端末３００は冷蔵庫に限られないし、入力端末５００もスマートフォンには限られない。
＜第５の実施の形態＞
【００５３】
上記の実施の形態においては、入力端末５００のディスプレイ５３０に予測タイミングが表示され、入力端末５００のタッチパネル５５０を介してメッセージが入力され、出力端末３００のディスプレイ３３０にメッセージが表示されるものであった。
【００５４】
しかしながら、入力端末５００のＣＰＵ５１０は、サーバ１００からのテキストデータや音声データに基づいて、スピーカ５７０に予測タイミングを音声出力させてもよい。
【００５５】
また、入力端末５００のＣＰＵ５１０は、マイク５８０を介して、ユーザから音声によってメッセージの入力を受け付けてもよい。
【００５６】
また、出力端末３００のＣＰＵ３１０は、発話ボタンが押されたり、扉が開閉されたり、すなわち所定の操作を受け付けた際に、スピーカ３７０に入力端末５００からのメッセージを音声出力させてもよい。
＜第６の実施の形態＞
【００５７】
その他にも、上記の実施の形態のネットワークシステム１のサーバ１００や出力端末３００や入力端末５００などの各装置の役割の一部または全部を他の装置が実行してもよい。より詳細には、サーバ１００の処理の一部または全部を出力端末３００や入力端末５００が担ったり、クラウド上の多数のサーバによって分担して実現したりしてもよい。
＜まとめ＞
【００５８】
上記の実施の形態においては、通信端末５００と、通信端末５００に、メッセージの入力画面が表示される際に、所定の時間帯を表示させるためのサーバ１００とを備える、ネットワークシステム１が提供される。
【００５９】
好ましくは、ネットワークシステム１は、電気機器３００をさらに備える。サーバは、電気機器３００に対する操作履歴に基づいて所定の時間帯を決定する。
【００６０】
好ましくは、電気機器３００は冷蔵庫である。サーバ１００は、冷蔵庫の扉の開閉履歴に基づいて、開閉される可能性が高い時間帯を所定の時間帯として決定する。
【００６１】
好ましくは、サーバ１００は、通信端末５００から、メッセージの出力期間の指定を受け付ける。
【００６２】
上記の実施の形態においては、通信端末５００と通信するための通信インターフェイス１６０と、通信インターフェイス１６０を介して、通信端末５００に、メッセージの入力画面が表示される際に、所定の時間帯を表示させるためのプロセッサ１１０とを備える、サーバ１００が提供される。
【００６３】
上記の実施の形態においては、サーバ１００における情報処理方法が提供される。情報処理方法は、所定の時間帯を決定するステップと、通信端末５００に、メッセージの入力画面が表示される際に、所定の時間帯を表示させるステップと、を備える。
【００６４】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６５】
１        ：ネットワークシステム
１００    ：サーバ
１１０    ：ＣＰＵ
１２０    ：メモリ
１２１    ：ユーザ情報データ
１２２    ：機器情報データ
１２３    ：履歴情報データ
１２４    ：メッセージ情報データ
１４０    ：操作部
１６０    ：通信インターフェイス
２００    ：ルータ
２１０    ：ＣＰＵ
３００    ：出力端末
３１０    ：ＣＰＵ
３２０    ：メモリ
３３０    ：ディスプレイ
３３１    ：ライト（発話ボタン）
３４０    ：操作部
３５０    ：タッチパネル
３６０    ：通信インターフェイス
３７０    ：スピーカ
３８０    ：マイク
３９０    ：機器駆動部
４００    ：ルータ
５００    ：入力端末
５１０    ：ＣＰＵ
５２０    ：メモリ
５３０    ：ディスプレイ
５３０Ａ  ：所定の操作が行われる可能性が高いタイミングを示す情報
５３０Ｂ  ：新規メッセージ作成アイコン
５３０Ｃ  ：出力端末選択ボタン
５４０    ：操作部
５５０    ：タッチパネル
５６０    ：通信インターフェイス
５７０    ：スピーカ
５８０    ：マイク
【図１】
2020009294.tif 000003
【図２】
2020009294.tif 000004
【図３】
2020009294.tif 000005
【図４】
2020009294.tif 000006
【図５】
2020009294.tif 000007
【図６】
2020009294.tif 000008
【図７】
2020009294.tif 000009
【図８】
2020009294.tif 000010
【図９】
2020009294.tif 000011
【図１０】
2020009294.tif 000012
【図１１】
2020009294.tif 000013